(57)【要約】【課題】洗浄と除菌が同時に達成されるとともに、すすぎ性に優れ、かつ、保管時の退色が抑制された洗浄除菌剤組成物を提供する。【解決手段】（Ａ−１）ポリヘキサメチレンビグアナイド塩酸塩、ポリヘキサメチレングアニジンリン酸塩、ポリヘキサメチレングアニジン塩酸塩、ポリアミノプロピルビグアナイド塩酸塩からなる群より選ばれる１種以上の化合物と、（Ａ−２）１種以上のジ長鎖アルキルジ短鎖アルキルアンモニウムメチル硫酸塩からなる（Ａ）陽イオン界面活性剤、および（Ｂ−１）ＨＬＢ値が１０．５〜１２．５である１種以上のポリオキシアルキレンアルキルエーテルと、（Ｂ−２）ＨＬＢ値が１３．０〜１５．０である１種以上のポリオキシアルキレンアルキルエーテルからなる（Ｂ）非イオン界面活性剤を含有し、（Ａ）と（Ｂ）の重量比が１：０．５〜１：１．５であり、且つ、１重量％水溶液を調製した際のｐＨが２．５〜５である洗浄除菌剤組成物。【選択図】なし【特許請求の範囲】
【請求項１】
（Ａ−１）ポリヘキサメチレンビグアナイド塩酸塩、ポリヘキサメチレングアニジンリン酸塩、ポリヘキサメチレングアニジン塩酸塩、ポリアミノプロピルビグアナイド塩酸塩からなる群より選ばれる１種以上の化合物と、（Ａ−２）１種以上のジ長鎖アルキルジ短鎖アルキルアンモニウムメチル硫酸塩からなる（Ａ）陽イオン界面活性剤、および
（Ｂ−１）ＨＬＢ値が１０．５〜１２．５である１種以上のポリオキシアルキレンアルキルエーテルと、（Ｂ−２）ＨＬＢ値が１３．０〜１５．０である１種以上のポリオキシアルキレンアルキルエーテルからなる（Ｂ）非イオン界面活性剤を含有し、
（Ａ）と（Ｂ）の重量比が、１：０．５〜１：１．５であり、且つ、１重量％水溶液を調製した際のｐＨが、２．５〜５である洗浄除菌剤組成物。
【請求項２】
洗浄除菌剤組成物全量に対する（Ａ）陽イオン界面活性剤の合計量が５〜３０重量％であり、洗浄除菌剤組成物全量に対する（Ｂ）非イオン界面活性剤の合計量が３〜３０重量％である請求項１に記載の洗浄除菌剤組成物。
【請求項３】
（Ａ−１）化合物が、ポリヘキサメチレンビグアナイド塩酸塩である請求項１または２に記載の洗浄除菌剤組成物。
【請求項４】
（Ａ−２）ジ長鎖アルキルジ短鎖アルキルアンモニウムメチル硫酸塩が、ジデシルジメチルアンモニウムメチル硫酸塩である請求項１〜３いずれかに記載の洗浄除菌剤組成物。
【請求項５】
（Ａ−１）と（Ａ−２）の重量比が、１：２．５〜１：５．５である請求項１〜４いずれかに記載の洗浄除菌剤組成物。
【請求項６】
（Ｂ−１）の曇点が、２０〜５０℃（２重量％水溶液）である請求項１〜５いずれかに記載の洗浄除菌剤組成物。
【請求項７】
（Ｂ−２）の曇点が、６５〜９５℃（２重量％水溶液）である請求項１〜６いずれかに記載の洗浄除菌剤組成物。
【請求項８】
（Ｂ−１）と（Ｂ−２）の重量比が、１：０．１〜１：６である請求項１〜７いずれかに記載の洗浄除菌剤組成物。
【請求項９】
（Ａ−１）ポリヘキサメチレンビグアナイド塩酸塩、ポリヘキサメチレングアニジンリン酸塩、ポリヘキサメチレングアニジン塩酸塩、ポリアミノプロピルビグアニド塩酸塩からなる群より選ばれる１種以上の化合物と、（Ａ−２）１種以上のジ長鎖アルキルジ短鎖アルキルアンモニウムメチル硫酸塩からなる（Ａ）陽イオン界面活性剤、および
（Ｂ−１）ＨＬＢ値が１０．５〜１２．５である１種以上のポリオキシアルキレンアルキルエーテルと、（Ｂ−２）ＨＬＢ値が１３．０〜１５．０である１種以上のポリオキシアルキレンアルキルエーテルからなる（Ｂ）非イオン界面活性剤を含有し、
（Ａ）と（Ｂ）の重量比が、１：０．５〜１：１．５であり、且つ、１重量％水溶液を調製した際のｐＨが、２．５〜５である洗浄除菌剤組成物の製造方法であって、
（Ａ）陽イオン界面活性剤に、３５〜４５℃の温度に加温した（Ｂ）非イオン界面活性剤を溶解させる工程を含む方法。
【発明の詳細な説明】
【技術分野】
【０００１】
本発明は、主に食品工場等の器具、設備および作業者の手指や踏み込み槽での長靴等の洗浄除菌に用いる洗浄除菌剤組成物に関する。
【背景技術】
【０００２】
食品工場、飲食店等の厨房、スーパー内の加工作業場などの食品を取り扱う現場では、衛生上の観点から床、壁、器具、設備等の洗浄除菌を行う必要があり、従来からアルコール、塩素系化合物、過酸化物、陽イオン界面活性剤等、様々な除菌剤が用いられている。
【０００３】
しかし、陽イオン界面活性剤を含有する水溶液からなる除菌剤組成物は除菌力はあるものの十分な洗浄力を持たないものであり、洗浄力を高めるために通常の洗浄剤、例えば陰イオン界面活性剤を併用すると、その殺菌効力が著しく低下することが知られている。そのため病院、食品工場などでは洗浄と殺菌は２つの工程に分けて行わねばならないという問題があった。また、陽イオン界面活性剤は、使用後にぬめりやべたつきが残存しやすく、すすぎに手間が掛かるという課題もあった。
【０００４】
特許文献１には、ジ長鎖アルキルジ短鎖アルキルアンモニウム塩、両性界面活性剤、ポリオキシエチレンオキシプロピレンアルキルエーテルおよびエタノールを特定の割合で含有する水溶液を用いることによって洗浄と除菌が一つの工程で行える殺菌洗浄剤組成物が提案されている。
【０００５】
しかしながら、ジデシルジメチルアンモニウムクロライドに代表されるジ長鎖アルキルジ短鎖アルキルアンモニウム塩は、金属腐食性があり、食品工場などの設備や器具によっては錆等の腐食が発生することがあった。また、ジデシルジメチルアンモニウムクロライドは使用後にぬめりが残り易く、すすぎに手間が掛かる場合があった。さらに、ジ長鎖アルキルジ短鎖アルキルアンモニウム塩は、カビなどの真菌類に対する除菌効果が不十分となる場合もあった。
【０００６】
特許文献２には、ビグアナイド類と第四級アンモニウム塩を特定の重量比で含有する消毒剤組成物が提案されている。
【０００７】
しかしながら、ポリヘキサメチレンビグアナイド塩酸塩等のビグアナイド類は使用後にべたつきが残りやすく、やはりすすぎに手間が掛かるという課題を有していた。
【０００８】
さらに、工業用の洗浄除菌剤においては、誤使用や誤飲を防止するために色素を添加することにより、着色されることが多いが、ジデシルジメチルアンモニウムクロライドやポリヘキサメチレンビグアナイド塩酸塩等の陽イオン界面活性剤を含有する洗浄除菌剤においては、特に高温で保管した場合に退色することがあった。
【０００９】
上記のような背景から、洗浄と除菌が同時に達成されるとともに、すすぎ性に優れ、かつ、保管時の退色が抑制された洗浄除菌剤組成物が望まれていた。
【先行技術文献】
【特許文献】
【００１０】
【特許文献１】特許第４４６８０１０号公報
【特許文献２】特表２０１２−５２１４３４号公報
【発明の概要】
【発明が解決しようとする課題】
【００１１】
本発明の目的は、洗浄と除菌が同時に達成されるとともに、すすぎ性に優れ、かつ、保管時の退色が抑制された洗浄除菌剤組成物を提供することにある。
【課題を解決するための手段】
【００１２】
本発明者らは、鋭意検討の結果、２種以上の特定の陽イオン界面活性剤および２種以上の特定の非イオン界面活性剤を特定の量比で含有する組成物が上記課題を解決することを見出し本発明を完成させるに至った。
【００１３】
すなわち本発明は、
（Ａ−１）ポリヘキサメチレンビグアナイド塩酸塩、ポリヘキサメチレングアニジンリン酸塩、ポリヘキサメチレングアニジン塩酸塩、ポリアミノプロピルビグアナイド塩酸塩からなる群より選ばれる１種以上の化合物と、（Ａ−２）１種以上のジ長鎖アルキルジ短鎖アルキルアンモニウムメチル硫酸塩からなる（Ａ）陽イオン界面活性剤、および
（Ｂ−１）ＨＬＢ値が１０．５〜１２．５である１種以上のポリオキシアルキレンアルキルエーテルと、（Ｂ−２）ＨＬＢ値が１３．０〜１５．０である１種以上のポリオキシアルキレンアルキルエーテルからなる（Ｂ）非イオン界面活性剤を含有し、
（Ａ）と（Ｂ）の重量比が、１：０．５〜１：１．５であり、且つ、１重量％水溶液を調製した際のｐＨが、２．５〜５である洗浄除菌剤組成物を提供する。
【００１４】
また、本発明は、
（Ａ−１）ポリヘキサメチレンビグアナイド塩酸塩、ポリヘキサメチレングアニジンリン酸塩、ポリヘキサメチレングアニジン塩酸塩、ポリアミノプロピルビグアナイド塩酸塩からなる群より選ばれる１種以上の化合物と、（Ａ−２）１種以上のジ長鎖アルキルジ短鎖アルキルアンモニウムメチル硫酸塩からなる（Ａ）陽イオン界面活性剤、および
（Ｂ−１）ＨＬＢ値が１０．５〜１２．５である１種以上のポリオキシアルキレンアルキルエーテルと、（Ｂ−２）ＨＬＢ値が１３．０〜１５．０である１種以上のポリオキシアルキレンアルキルエーテルからなる（Ｂ）非イオン界面活性剤を含有し、
（Ａ）と（Ｂ）の重量比が、１：０．５〜１：１．５であり、且つ、１重量％水溶液を調製した際のｐＨが、２．５〜５である洗浄除菌剤組成物の製造方法であって、
（Ａ）陽イオン界面活性剤に、３５〜４５℃の温度に加温した（Ｂ）非イオン界面活性剤を溶解させる工程を含む方法も提供する。
【発明を実施するための形態】
【００１５】
本発明で用いられる（Ａ）陽イオン界面活性剤は、（Ａ−１）化合物類から選ばれる１種以上、および（Ａ−２）ジ長鎖アルキルジ短鎖アルキルアンモニウムメチル硫酸塩から選ばれる１種以上からなる。
【００１６】
（Ａ−１）化合物は、ポリヘキサメチレンビグアナイド塩酸塩、ポリヘキサメチレングアニジンリン酸塩、ポリヘキサメチレングアニジン塩酸塩、ポリアミノプロピルビグアナイド塩酸塩からなる群より選ばれる１種以上の化合物である。幅広い抗菌スペクトルを有する点および入手が容易な点で、ポリヘキサメチレンビグアナイド塩酸塩が好ましい。
【００１７】
（Ａ−１）化合物の重合度は特に限定されないが、例えば重合度６〜１８のものが好ましく用いられる。
【００１８】
（Ａ−２）ジ長鎖アルキルジ短鎖アルキルアンモニウムメチル硫酸塩としては、下記一般式（１）で表される第四級アンモニウム塩が挙げられる。
【化１】
2020033414.tif 000002
（式中Ｒ１およびＲ２は、同一または異なってよく、分岐を有していてもよい飽和または不飽和の長鎖アルキル基を示し、Ｒ３およびＲ４は、同一または異なってよい、短鎖アルキル基を示す。）
【００１９】
Ｒ１およびＲ２で表される長鎖アルキル基は好ましくは炭素数８〜１８のアルキル基、例えば２−エチルヘキシル、オクチル、デシル、ドデシル、ステアリル等であるが特に好ましくは炭素数８〜１０のアルキル基である。Ｒ３およびＲ４としてはメチルまたはエチル基が適しており、特にメチルが好ましい。
【００２０】
ジ長鎖アルキルジ短鎖アルキルアンモニウムメチル硫酸塩の具体例としては、ジオクチルジメチルアンモニウムメチル硫酸塩、オクチルデシルジメチルアンモニウムメチル硫酸塩及びジデシルジメチルアンモニウムメチル硫酸塩などが挙げられる。
上記（Ａ−１）成分と組み合わせた際に、濁りや分離が生じ難い点、および洗浄除菌剤組成物を着色した際に、退色が生じ難い点で、ジデシルジメチルアンモニウムメチル硫酸塩が好ましい。
【００２１】
（Ａ）陽イオン界面活性剤において、（Ａ−１）と（Ａ−２）の重量比は、選択する（Ａ−１）の化合物と（Ａ−２）のジ長鎖アルキルジ短鎖アルキルアンモニウムメチル硫酸塩の種類および数によって異なり得るが、例えば、（Ａ−１）ポリヘキサメチレンビグアナイド塩酸塩と（Ａ−２）ジデシルジメチルアンモニウムメチル硫酸塩を選択した場合は、１：２．５〜１：５．５であるのが好ましく、１：３〜１：５であるのがより好ましく、１：３．５〜１：４．５であるのがさらに好ましい。
【００２２】
本発明の洗浄除菌剤組成物における（Ａ）陽イオン界面活性剤の割合は、混合時あるいは保管時に濁りや分離が生じない量であれば特に制限はないが、洗浄除菌剤組成物全量に対する陽イオン界面活性剤の合計量が５〜３０重量％であるのが好ましく、８〜２８重量％であるのがより好ましく、１０〜２５重量％であるのがさらに好ましい。陽イオン界面活性剤の合計量が洗浄除菌剤組成物全量に対し５重量％未満である場合、除菌効果が不十分となる傾向があり、洗浄除菌剤組成物全量に対し３０重量％を超える場合、混合時あるいは保管時に濁りや分離が生じやすい傾向がある。
【００２３】
また、本発明に用いる（Ｂ）非イオン界面活性剤は、（Ｂ−１）ＨＬＢ値が１０．５〜１２．５であるポリオキシアルキレンアルキルエーテルから選ばれる１種以上、および（Ｂ−２）ＨＬＢ値が１３．０〜１５．０であるポリオキシアルキレンアルキルエーテルから選ばれる１種以上からなる。
【００２４】
（Ｂ−１）ＨＬＢ値が１０．５〜１２．５であるポリオキシアルキレンアルキルエーテルとしては、サンノニックＦＮ−８０、セドランＦＦ−１８０、ナロアクティーＣＬ−７０（以上、三洋化成工業株式会社製）、エマルゲン１０６、エマルゲン１０８、エマルゲン２１０、エマルゲン４０９Ｐ（以上、花王株式会社製）、ファインサーフＤ−１３０５、セフティカットＮＤ−２０３３、ブラウノンＣＨ−３０８（以上、青木油脂工業株式会社製）が挙げられる。混合時に濁りや分離を生じ難い点で、２重量％水溶液の曇点が２０〜５０℃であるものが好ましく、２５〜４５℃であるものがより好ましく、３０〜４０℃であるものがさらに好ましい。
【００２５】
（Ｂ−２）ＨＬＢ値が１３．０〜１５．０であるポリオキシアルキレンアルキルエーテルとしては、サンノニックＦＮ−１４０、セドランＦＦ−２２０、ナロアクティーＣＬ−１２０（以上、三洋化成工業株式会社製）、エマルゲン１０９Ｐ、エマルゲン２２０、エマルゲン３２０Ｐ、エマルゲンＬＳ−１１０（以上、花王株式会社製）、ブラウノンＥＬ−１５０９、ブラウノンＣＨ−３１５Ｌ、ブラウノンＥＮ−１５１３．５、ブラウノンＥＮ９１４、セフティカットＬＩ−３０８５、ファインサーフＤ−８５（以上、青木油脂工業株式会社製）が挙げられる。混合時に濁りや分離を生じ難い点で、２重量％水溶液の曇点が６５〜９５℃であるものが好ましく、７０〜９０℃であるものがより好ましく、７５〜８５℃であるものがさらに好ましい。
【００２６】
（Ｂ）非イオン界面活性剤において、（Ｂ−１）と（Ｂ−２）の重量比は、選択するポリオキシアルキレンアルキルエーテルの種類および数によって異なり得るが、例えば、（Ｂ−１）ＨＬＢ値が１１．７、且つ曇点が３４℃のポリオキシアルキレンアルキルエーテルと、（Ｂ−２）ＨＬＢ値が１３．９、且つ曇点が８１℃のポリオキシアルキレンアルキルエーテルを選択した場合は、１：０．１〜１：６であるのが好ましく、１：０．５〜１：５であるのがより好ましく、１：０．８〜１：４であるのがさらに好ましい。
【００２７】
本発明の洗浄除菌剤組成物における（Ｂ）非イオン界面活性剤の割合は、混合時あるいは保管時に濁りや分離が生じない量であれば特に制限はないが、洗浄除菌剤組成物全量に対する非イオン界面活性剤の合計量が３〜３０重量％であるのが好ましく、５〜２５重量％であるのがより好ましく、８〜２２重量％であるのがさらに好ましい。非イオン界面活性剤の合計量が洗浄除菌剤組成物全量に対し３重量％未満である場合、洗浄効果が不十分となる傾向があり、洗浄除菌剤組成物全量に対し３０重量％を超える場合、粘度が高くなりべたつきが大きくなる傾向がある。
【００２８】
本発明の洗浄除菌剤組成物における（Ａ）陽イオン界面活性剤と（Ｂ）非イオン界面活性剤の重量比は、１：０．５〜１：１．５であればよく、１：０．７〜１：１．３であるのが好ましく、１：０．８〜１：１．２であるのがより好ましい。（Ａ）陽イオン界面活性剤に対して（Ｂ）非イオン界面活性剤の重量が０．５倍量未満である場合は、保管時に分離や濁りが発生しやすい傾向があり、１．５倍量を超える場合は、除菌効果が不十分となる傾向がある。
【００２９】
本発明の洗浄除菌剤組成物は、１重量％水溶液を調製した際のｐＨが、２．５〜５であればよく、３〜４．５であるのが好ましく、３．５〜４であるのがより好ましい。１重量％水溶液を調製した際のｐＨが２．５未満である場合、金属製品等に腐食を生じる傾向があり、ｐＨが５を超える場合、誤使用や誤飲を防止するために添加した色素が退色する傾向がある。
【００３０】
本発明の洗浄除菌剤組成物は、１重量％水溶液を調製した際のｐＨが、２．５〜５となるように、種々のｐＨ調整剤を用いて調整してもよい。ｐＨ調整剤は、洗浄効果、除菌効果、保管安定性および退色抑制効果等に影響を及ぼすものでなければ、特に限定されず、例えば、水酸化ナトリウム、水酸化カリウム等が例示される。
【００３１】
本発明の洗浄除菌剤組成物は上記成分に加え、さらにエタノールを含有していてもよい。エタノールを含有させることにより洗浄除菌剤組成物の安定性が改善される傾向がある。エタノールとしては工業用エタノール、変性アルコールのいずれも使用可能である。エタノールの割合としては、洗浄除菌剤組成物全重量に対し、１５重量％以下であるのが好ましく、０．５〜１０重量％がより好ましく、１〜５重量％がさらに好ましい。エタノールを１０重量％以上添加すると洗浄除菌剤組成物が白濁するため好ましくない。
【００３２】
その他、必要により含有させることのできる他の添加剤としては、例えば、エチレンジアミンテトラアセテート(ＥＤＴＡ)、Ｎ−ヒドロキシエチル−エチレンジアミントリアセテート(ＨＥＤＴＡ)、トリエタノールアミンなどの有機金属イオン封鎖剤、タール系色素、トリフェニルメタン系色素（青色１号、緑色３号）、アゾ系色素（黄色４号、黄色５号、赤色２号、赤色１０２号）などの着色料、香料が挙げられる。これら他の添加剤の割合は、通常、洗浄除菌剤組成物全重量に対して、２．５重量％以下である。
【００３３】
本発明の洗浄除菌剤組成物は、（Ａ）陽イオン界面活性剤に、３５〜４５℃に加温した（Ｂ）非イオン界面活性剤を、１：０．５〜１：１．５の重量比で混合することによって製造することができる。（Ｂ）非イオン界面活性剤を加温する際の温度は、３７〜４３℃が好ましく、３９〜４１℃がより好ましい。
【００３４】
このようにして得られた洗浄除菌剤組成物は、室温にて冷却後、洗浄除菌を必要とする種々の対象物に用いることができる。対象物への適用方法については、得られた洗浄除菌剤組成物を対象物へ直接接触させてもよいし、あるいは必要に応じて該組成物を水で希釈した後に対象物と接触させてもよい。また、対象物への接触方法としては、噴霧添加、混合、塗布、浸漬等が挙げられるが、これらに限定されない。
【００３５】
本発明の洗浄除菌剤組成物は、希釈せずに使用することも可能であるが、通常は使用時に０．３〜３０重量％水溶液を調製して使用する。
【００３６】
本発明の洗浄除菌剤組成物は、食品工場、畜舎、ホテル、レストラン、学校、店舗、病院等の床や壁を洗浄除菌する環境洗浄除菌剤として有用である。
また、食品工場等で使用される食品製造・加工機器や器具の洗浄除菌にも有用である。食品製造・加工機器としては、各種の攪拌機、混合機、ホモジナイザー、自動カッター等が挙げられる。器具としては、まな板、包丁、食品用容器、布巾等が挙げられる。
【００３７】
本発明の洗浄除菌剤組成物は、長期間保管した場合でも濁りや分離等を起こさず、液性が安定している。
【００３８】
以下、実施例により本発明を更に説明する。
【実施例】
【００３９】
実施例１および比較例１
（安定性試験１（溶状）；方法）
表１−１に示す組成の本発明の洗浄除菌剤組成物I〜IIIを（Ａ）陽イオン界面活性剤に、４０℃の温度に加温した（Ｂ）非イオン界面活性剤を溶解させて調製し、混合直後および１週間保管後の溶状を目視にて観察した（実施例１）。また、比較例として表１−２に示す組成物IV〜IXを実施例１と同様に調製し、実施例１と同様に観察した（比較例１）。保管時の温度は０℃および４５℃にて行い、混合直後または保管中に分離したものについては、分離した時点で試験を中止し、その後の観察は行わなかった。実施例および比較例で使用した陽イオン界面活性剤１〜５および非イオン界面活性剤１、２は下記の通りである。また、表中の数値は重量％を表す。
【００４０】
陽イオン界面活性剤１：ポリヘキサメチレンビグアナイド塩酸塩
陽イオン界面活性剤２：ジデシルジメチルアンモニウムメチル硫酸塩
陽イオン界面活性剤３：ジデシルメチルポリオキシエチルアンモニウムプロピオン酸塩
陽イオン界面活性剤４：ジデシルジメチルアンモニウムアジピン酸塩
陽イオン界面活性剤５：ジデシルジメチルアンモニウム塩酸塩
非イオン界面活性剤１：ポリオキシアルキレンアルキルエーテル（ＨＬＢ値＝１１．７、曇点＝３４℃）
非イオン界面活性剤２：ポリオキシアルキレンアルキルエーテル（ＨＬＢ値＝１３．９、曇点＝８１℃）
【００４１】
（安定性試験１（溶状）；結果）
結果を表１−１および表１−２に示す。本発明の洗浄除菌剤組成物I〜IIIおよび比較例中VII〜IXは、混合時〜１週間保管後まで分離等を起こさず安定していた。また、比較例中、VIは混合時に分離した。IV、Ｖは混合時には良好であったが、保管時に不安定となり分離した。尚、表中の「○」は分離および濁りが観察されなかったことを示し、「×」は分離および濁りが観察されたことを示す。
【００４２】
実施例２および比較例２
（安定性試験２（退色）；方法）
実施例１で調製した本発明の洗浄除菌剤組成物I〜IIIについて、１週間および４週間保管後の退色具合を目視にて観察した（実施例２）。また、比較例１で調製した組成物IV〜IXについても、実施例２と同様に観察した（比較例２）。
【００４３】
（安定性試験２（退色）；結果）
結果を表１−１および表１−２に示す。本発明の洗浄除菌剤組成物I〜IIIは、４週間保管後まで退色を起こさず安定していた。また、比較例中、IV、Ｖ、VIII、IXは１週間保管後（４５℃）に、VIIは４週間保管後（４５℃）に退色が観察された。尚、表中の「○」は退色が観察されなかったことを示し、「×」は退色が観察されたことを示す。
【００４４】
（すすぎ性試験；方法）
実施例１で調製した本発明の洗浄除菌剤組成物I〜IIIを、それぞれ水で５％濃度に希釈し、希釈液を調製した。調製した希釈液に金属片（ＳＵＳ４０３：３０×５０ｍｍ）の下部３ｃｍ程度を浸した後、液切りを行い、空のビーカー内に立て置いた。ビーカーにラップをかけて蓋をした状態で、室温で一晩放置した後、金属片を流水で３秒間水洗した。処理後の金属片について、濃度確認試験紙（Ｖａｎｔｏｃｉｌ Ｔｅｓｔ Ｓｔｒｉｐｓ）を用いて、表面の残留組成物の濃度を下記評価基準にて評価した。また、比較例１で調製した組成物IV〜IXについても同様に評価した。
【００４５】
＜評価基準＞
○：３ｐｐｍ未満
×：３ｐｐｍ以上
【００４６】
（すすぎ性試験；結果）
結果を表１−１および表１−２に示す。本発明の洗浄除菌剤組成物I〜IIIを用いた試験では、残留組成物の濃度が低く、良好なすすぎ性を示した。また、比較例中、Ｖ〜VII、IXを用いた試験では、組成物の残留が確認された。
【００４７】
【表１−１】
2020033414.tif 000003
【００４８】
【表１−２】
2020033414.tif 000004
【００４９】
実施例３
（除菌力試験；方法）
下記に示す供試菌をＢＨＩ（ブレインハートインフュージョン）ブイヨン培地で３０℃、２４ｈｒ培養し、その菌液を生理食塩水で１０倍希釈したものを、洗浄除菌剤組成物Iを水で表２〜４に示す濃度に希釈した液１０ｍｌに対し、０．１ｍｌ加えて攪拌した後、２０℃にて０．５、１．０、３．０分間保持した。感作時間経過後もう一度攪拌した後、各混合物から１白金耳を取り、ＢＨＩブイヨン培地１０ｍｌに接種した。これを３０℃、４８ｈｒ培養した。菌未接種のＢＨＩブイヨン培地をコントロールとし、目視で培地の濁りを比較して、各菌体に対する洗浄除菌剤組成物Iの除菌効果を判定した。
【００５０】
供試菌：
大腸菌（Ｅｓｃｈｅｒｉｃｈｉａ  ｃｏｌｉ  ＮＩＨＪ  ＪＣ−２）
芽胞菌（Ｂａｃｉｌｌｕｓ  ｓｕｂｔｉｌｉｓ  ＩＡＭ１０６９）
カビ（Ｐｅｎｉｃｉｌｌｉｕｍ  ｃｉｔｒｉｎｕｍ  ＮＦＲＩ−１０１９）
【００５１】
（除菌力試験；結果）
結果を表２〜４に示す。表中の「−」は除菌効果が確認されたことを示し、「＋」は除菌効果が確認されなかったことを示す。また表中の濃度は洗浄除菌剤組成物Iの濃度を表す。
【００５２】
【表２】
2020033414.tif 000005
（薬剤接触時菌量：８．３×１０４ＣＦＵ／ｍＬ）
【００５３】
【表３】
2020033414.tif 000006
（薬剤接触時菌量：０．９×１０５ＣＦＵ／ｍＬ）
【００５４】
【表４】
2020033414.tif 000007
（薬剤接触時菌量：１．６×１０４ＣＦＵ／ｍＬ）